(57)【要約】【課題】収容物を取り出しやすく、持ち運ぶ際は収容物を揺れ動きにくくした鞄用中箱を提供する。【解決手段】本発明の鞄用中箱８は、一対の平面視コの字状の芯材板２，３を平面視ロの字状に配して形成した芯材１を備え、一方の芯材板２の側面部２ａに孔部４を形成し、他方の芯材板３の側面部３ａに前記孔部４にスライド可能に挿入した舌片状の舌片部５を形成したことを特徴とする。【選択図】図１
2013039266.tif 000002
【特許請求の範囲】
【請求項１】
一対の平面視コの字状の芯材板を平面視ロの字状に配して形成した芯材を備えた鞄用中箱であって、一方の芯材板の側面部に孔部を形成し、他方の芯材板の側面部に前記孔部にスライド可能に挿入した舌片状の舌片部を形成した構成を有する鞄用中箱。
【請求項２】
前記孔部は前記一方の芯材板の側面部に形成した矩形状孔とし、前記舌片部は前記他方の芯材板の側面部先端側を矩形状に突出させて形成した請求項１に記載の鞄用中箱。
【請求項３】
前記芯材を被覆材で被覆して前後面部、横マチ部及び底マチ部を形成し、この被覆材の横マチ部の幅を、一対の芯材板が最近接した状態の芯材の横マチ部の幅よりも幅広に形成した請求項１又は２に記載の鞄用中箱。
【発明の詳細な説明】
【技術分野】
【０００１】
本発明は、デイバッグなどの背負い鞄やボストンバッグなどの手持ち鞄などの内部に配することができる鞄用中箱に関する。
【背景技術】
【０００２】
布やナイロンなど柔軟性のある生地からなる柔軟な鞄は、形が崩れやすいため、内部に中枠・中箱などを配して保形することがある。
【０００３】
例えば、デイバッグなどの背負い鞄等は、教科書やノートなどの収容物を収容して持ち運ぶことがあり、このような収容物を収容した状態で背負い鞄を床や地面などに置いた場合、鞄が安定せず、倒れてしまうことがしばしば見られる。そこで、中箱などの保形できる部材を背負い鞄内に配しておくことにより、背負い鞄を起立させやすくすることができる。
【０００４】
また、下記特許文献１には、緩衝材を含む矩形板状底板の四辺に折目を介して緩衝材を含む矩形板状の側板をそれぞれ連設し、上記各側板の左右端部に、両隣の側板と左右端辺を接合して箱肩を形成すべき係脱自在の止め具をそれぞれ取付け、上記各折目は各側板の底板面への折り重ねを可能にするものとした、かばんの中枠が記載されている。
【先行技術文献】
【特許文献】
【０００５】
【特許文献１】実開昭５６−４４３７号公報
【発明の概要】
【発明が解決しようとする課題】
【０００６】
本発明は、従来からある鞄用中箱を改良することにより、収容物を取り出しやすく、持ち運ぶ際に収容物が揺れ動きにくくなることを見出して成し得たものである。
【０００７】
そこで、本発明の目的は、収容物を取り出しやすく、持ち運ぶ際は収容物が揺れ動きにくい鞄用中箱を提供することにある。
【課題を解決するための手段】
【０００８】
本発明の鞄用中箱は、一対の平面視コの字状の芯材板を平面視ロの字状に配して形成した芯材を備えた鞄用中箱であって、一方の芯材板の側面部に孔部を形成し、他方の芯材板の側面部に前記孔部にスライド可能に挿入した舌片状の舌片部を形成したことを特徴とするものである。
例えば、前記孔部は前記一方の芯材板の側面部に形成した矩形状孔とし、前記舌片部は前記他方の芯材板の側面部先端側を矩形状に突出させて形成することができる。
【０００９】
本発明の鞄用中箱は、上記芯材を用いることにより、鞄用中箱の横マチ部の幅を可変にすることができる。
【００１０】
上記鞄用中箱は、前記芯材を被覆材で被覆して前後面部、横マチ部及び底マチ部を形成し、この被覆材の横マチ部の幅を、一対の芯材板が最近接した状態の芯材の横マチ部の幅よりも幅広に形成することができる。
【００１１】
本発明は、上記芯材を上記被覆材で被覆することにより、鞄用中箱の横マチ幅の伸縮範囲を制限でき、鞄を閉じた場合には、鞄用中箱の横マチ幅が縮まり教科書などの収容物が揺れ動きにくくなる。また、収容物を取り出す際は、鞄用中箱の横マチ幅が拡がり収容物が取り出しやすくなる。
【図面の簡単な説明】
【００１２】
【図１】本発明の一実施形態の鞄用中箱の斜視図である。
【図２】図１の鞄用中箱に用いる芯材の一例の分解斜視図である。
【図３】図１の鞄用中箱の幅を縮めた状態を示した斜視図である。
【図４】図１の鞄用中箱を背負い鞄内に配した状態の一例を示した図である。
【発明を実施するための形態】
【００１３】
以下、本発明を、鞄用中箱の一実施形態に基づいて説明する。
【００１４】
本発明の一実施形態の鞄用中箱８は、図１又は図２に示すように、一対の平面視コの字状の芯材板２，３を平面視ロの字状に配して形成した芯材１を備え、一方の芯材板２の側面部２ａに孔部４を形成し、他方の芯材板３の側面部３ａに前記孔部４にスライド可能に挿入した舌片状の舌片部５を形成したことを特徴とするものである。
【００１５】
芯材板２，３は、適度な硬さを有した合成樹脂、紙、金属などから形成することができ、図１又は図２に示すように、側面部２ａ，３ａ同士を向かい合わせ、舌片部５を孔部４に挿入して横マチ部６を形成し、平面視ロの字状の芯材１を形成することができる。
芯材１は、舌片部５を孔部４にスライド可能に挿入してあるため、挿入深さに応じて芯材１の横マチ部６の幅が伸縮する。
なお、芯材１は、芯材板２，３のどちらを前側として用いてもよい。
【００１６】
より詳しく説明すると、芯材板２は、横長長方形状板材の両端部を同一方向に略直角に折り曲げて両側面部２ａを形成した略左右対称の平面視コの字状としてある。両側面部２ａには、縦長長方形状の孔部４が形成してある。側面部２ａの上辺部は、先端部側が一段低い段状に形成してあり、上辺部の出隅は丸隅状に形成してある。また、側面部２ａの下辺部側の隅部は円弧状に形成してある。
【００１７】
芯材板３は、横長長方形状板材の両端部を同一方向に略直角に折り曲げて両側面部３ａを形成した略左右対称の平面視コの字状としてある。両側面部３ａの先端部３ｂには、側面部３ａと同一平面状に突出させた舌片状の舌片部５が形成してある。舌片部５は、先端側を丸隅とした矩形平面状に形成してあり、舌片部５の縦幅は、孔部４の縦幅以下に形成し、突出長さは、芯材板２の折り曲げ部から孔部４の該折り曲げ部側の縁部までの長さ以下に形成することができる。各舌片部５は各孔部４にスライド可能に挿入できるように形成してある。
【００１８】
芯材板２と芯材板３との側面部２ａ、３ａ同士を向い合せ、舌片部５を孔部４に挿入し、芯材１を形成することができる。この際、舌片部５は、孔部４の外側から内側に向かい挿入することができる。芯材板２と芯材板３とが近接すると、側面部３ａの先端部３ｂが孔部４の縁部に当接し、それ以上、芯材１の横マチ部６の幅が縮まないように形成するのが好ましい。
【００１９】
芯材１に布、ナイロン、本革、合皮などからなる柔軟性を有する被覆材７を被覆し、図１に示すように、前後面部８ａ、横マチ部８ｂ、底面部（図示せず）を形成して、鞄用中箱８を形成することができる。横マチ部８ｂ及び底面部を形成する被覆材７は、芯材板２と芯材板３とが最近接した状態の芯材１の横マチ部６の幅よりも若干幅広に形成してあり、図３に示すように、芯材板２と芯材板３とが近接した状態では横マチ部８ｂ及び底面部の被覆材７が弛み、芯材板２と芯材板３とが離反した状態では横マチ部８ｂ及び底面部の被覆材７が張り、芯材板２，３の移動を制限することができる。このようにして横マチ部８ｂの幅を横マチ部８ｂのゆとりの範囲で可変としてある。
【００２０】
鞄用中箱８は、図４に示すように、背負い鞄９などの内部に配して用いることができる。鞄用中箱８の横マチ部８ｂの幅は、背負い鞄９の横マチ部の幅と略同じに形成するのが好ましい。
このように鞄用中箱８を背負い鞄９などの内部に配し、教科書などの収容物１０を鞄用中箱８に詰め込み、背負い鞄９などの開口部を閉じると、鞄用中箱８の前後面部８ａが、背負い鞄９などの前身頃及び後身頃により押圧され、鞄用中箱８の横マチ部８ｂの幅が縮まり収容物１０が押さえられる。そのため、収容物１０が揺れ動きにくくなり、持ち運びやすくなる。
また、背負い鞄９などの開口部を開け、収容物を取り出す際は、鞄用中箱８の横マチ部８ｂの幅は若干拡がるため教科書などの収容物１０が取り出しやすいものである。
【００２１】
鞄用中箱８は、デイバッグなどの背負い鞄以外にもボストンバッグなどの手持ち鞄などに用いることも可能であり、鞄の種類は限定するものではない。鞄用中箱８は、特に、ナイロン、布、革など柔軟性のある生地から作製された柔軟な鞄に用いるのが好適である。
【００２２】
上記実施形態の構成態様は、本発明を限定するものとして挙げたものではなく、技術目的を共通にするかぎり変更は可能であり、本発明はそのような変更を含むものである。
【符号の説明】
【００２３】
１芯材  ２、３芯材板  ２ａ側面部  ３ａ側面部  ３ｂ先端部  ４孔部  ５舌片部  ６横マチ部  ７被覆材  ８鞄用中箱  ８ａ前後面部  ８ｂ横マチ部
【図１】
2013039266.tif 000003
【図２】
2013039266.tif 000004
【図３】
2013039266.tif 000005
【図４】
2013039266.tif 000006
【手続補正書】
【提出日】平成23年10月25日(2011.10.25)
【手続補正１】
【補正対象書類名】特許請求の範囲
【補正対象項目名】全文
【補正方法】変更
【補正の内容】
【特許請求の範囲】
【請求項１】
一対の平面視コの字状の芯材板を平面視ロの字状に配して形成した芯材を備えた鞄用中箱であって、一方の芯材板の側面部に孔部を形成し、他方の芯材板の側面部に前記孔部にスライド可能に挿入した舌片状の舌片部を形成し、前記芯材を被覆材で被覆して前後面部、横マチ部及び底マチ部を形成し、この被覆材の横マチ部の幅を、一対の芯材板が最近接した状態の芯材の横マチ部の幅よりも幅広に形成した構成を有する鞄用中箱。